(57)【要約】【課題】  携帯電話機などを使った一般参加型の人気投票システムを提供する。【解決手段】  ネットワークに接続されたアプリケーションサーバと、ＩＤを備えた携帯電話機とを使い、前記アプリケーションサーバは、コンテストの応募および投票のプログラムを実行するＣＰＵを有し、前記投票プログラムは、各段階の投票による審査を複数の応募者からなる審査グループに分け、低次の審査で選ばれた応募者を集めて高次の審査を行って最終審査に至る方式のプログラムと、前記ＩＤを識別することで前記審査グループ単位における同一携帯電話機からの重複登録を防止するプログラムと、低次の審査の途中で高次の審査の審査グループを構成する人数が集まった段階で低次の審査は継続しつつ高次の審査を行う先入れ先出し方式の複合投票プログラムを含むようにした。【選択図】  図５
2011028649.tif 000002
【特許請求の範囲】
【請求項１】
ネットワークに接続されたアプリケーションサーバと、ＩＤを備えた携帯電話機などの双方向通信が可能なモバイル端末とで構成される人気投票システムであって、
前記アプリケーションサーバは、投票プログラムを実行するＣＰＵを有し、
前記投票プログラムは、
前記モバイル端末から受信した応募作品を記憶保存する記憶手段と、
前記記憶保存した応募作品の数をカウントするカウント手段と、
前記記憶保存した複数の応募作品を所定数の作品からなる１次審査用の審査グループに分ける抽出手段と、
前記抽出された審査グループの作品の表示データを前記モバイル端末に送信する送信手段と、
前記ＩＤを識別することで前記審査グループ単位における同一モバイル端末からの重複投票を防止する手段と、
前記モバイル端末から送信された各作品ごとの投票数を記憶保存する記憶手段と、
前記投票数に基づいて２次審査に移行する作品を抽出保存する抽出手段と、
抽出された２次審査に移行する作品の数をカウントするカウント手段と、
２次審査への移行作品を所定数の作品からなる２次審査用の審査グループに分ける抽出手段と、
抽出された２次審査グループの作品の表示データを前記モバイル端末に送信する送信手段と、
前記ＩＤを識別することで２次審査グループ単位における同一モバイル端末からの重複投票を防止する手段を備え、
１次審査を継続しつつ２次審査を同時並行的に行うことを特徴とする人気投票システム。
【請求項２】
請求項１に記載の人気投票システムにおいて、前記投票の対象となる作品は、川柳、俳句、短歌、詩、駄洒落、写真、動画、漫画、イラスト、ネーミングまたは今年の漢字のいずれかであることを特徴とする人気投票システム。
【発明の詳細な説明】
【技術分野】
【０００１】
本発明は、作品に対して携帯電話機などのモバイル端末を使って人気投票を行うシステムに関する。
【背景技術】
【０００２】
携帯電話を用いて応募或いは投票を行うシステムとして特許文献１〜３に挙げるものが知られ、俳句などの句会に関連したコンテストシステムとしては特許文献４、５が知られている。
【０００３】
特許文献１には、インターネット通信網を介したコンテストサーバと、パケット通信網を介してＮＴＴドコモの「ｉモード」(登録商標)通信を行うパケット処理部、画像及び文字を表示するディスプレイ及び文字入力を行う入力部を備えた携帯電話とで構成されるコンテストシステムが開示されている。
【０００４】
特にこの特許文献１には、コンテストの応募者及び投票者が当該携帯電話を操作して上記パケット処理部を介してアクセスし、インターネット検索用ブラウザを使って上記コンテストサーバのＣＰＵによってコンテストの応募及び投票のプログラムを実行し、当該ＣＰＵを使って携帯電話からのアクセスに対して上記ＮＴＴドコモの「ｉモード」(登録商標)通信を実行し、通信確立後に当該携帯電話からＩＤ番号を取得し、当該ＣＰＵを使ってこのＩＤ番号を用いて同一携帯電話からの重複登録を防ぎ、上記投票者の一次予選(地区大会)の投票結果に基づき被選抜者を対象とした二次予選(大地区大会)の投票を上記投票者に通知し、二次予選(大地区大会)以降、県大会の投票を行い、最終選考である全国大会の投票を行い、その投票結果を投票者に通知することが開示されている。
【０００５】
特許文献２には、コンテストの作品評価方法として、一次評価を通過したものを二次評価の対象とし、さらに二次評価を通過したものを三次評価の対象とすることにより、最終選考を行うことが開示されている。
【０００６】
特許文献３には、投票型通信システムとして、複数の応募者全員の画像を同時に携帯電話端末の表示部に表示し、当該複数の応募者のうち特定の応募者の画像を表示画面の中から選択し、当該画像を携帯電話端末の表示部に拡大表示する方法が開示されている。
【０００７】
特許文献４には、参加者からの俳句・短歌等の文字データを入力するデータ入力部を設け、該データ入力部に入力された文字データを格納する記憶部を設けるとともに、該記憶部に格納された文字データを表示する画面出力部を有し、該文字データを表示しながら前記参加者からの採点データを入力する手段を設け、前記データ入力部から入力された文字データを前記画面出力部へ一覧表示するとともに、前記採点データを集計して編集表示することができる制御部を設けた句会等の運営・管理支援装置が開示されている。
【０００８】
特許文献５には、俳句の句会における手作業の部分を、無線ＬＡＮによる機器すなわち親機一台と複数の子機をもって自動的にこれらの作業を行わせ、無線ＬＡＮによる機器には、内部に歳時記、広辞苑、歴史的仮名遣い、及び保存の機能を合わせ持たせることにより、子機は携帯できる形状とすることから俳句手帳としても利用できるようにした無線ＬＡＮ機器を使った俳句の句会運営方法が開示されている。
【先行技術文献】
【特許文献】
【０００９】
【特許文献１】国際公開第０２／０９１２５９号
【特許文献２】国際公開第０２／０５４３１１号
【特許文献３】特開２００３−１１４９５５号公報
【特許文献４】特開平０８−１２９５８３号公報
【特許文献５】特開２００５−３４６６７７号公報
【発明の概要】
【発明が解決しようとする課題】
【００１０】
上記特許文献のうち携帯電話を用いたオーディションやコンテストなどの投票に関して開示があるのは特許文献１〜３である。そして、これら特許文献１〜３のうち、１次審査によって選ばれた作品（人）が２次審査に進む方式について記載されているのは、特許文献１、２である。
【００１１】
特許文献１、２も含め、一般的なオーディションやコンテストは低次の審査が終了してから高次の審査を開始するようになっている。即ち、特許文献１の１０〜１２頁、１６〜１８頁、２０〜２１頁及にかけて、及び図４には、地区大会、大地区大会および地方大会の開催時期を記載しているが、いずれも地区大会（低次の審査）の全部が終了した後に大地区大会（高次の審査）に移行することが記載されている。
【００１２】
従来の低次の審査及び高次の審査の定義に当て嵌めた方式の審査では、応募作品が少ない場合には、それほど問題にならない。しかしながら、応募作品が多くなると１次審査に時間がかかってしまい、１次審査の結果を待って２次審査を開始していたのでは、最終審査までに極めて長い時間を要してしまう。逆に決められた期間で多くの作品を審査しようとすると、きめ細かな審査が行えない。
【００１３】
特に、携帯電話を用いた投票で何千、何万という数の作品の人気投票を行う場合、携帯電話の画面に一度に表示できる作品数は精々９個までであることを考えると、何千、何万という数の作品に対しては携帯電話を用いた人気投票は行えない。
【００１４】
特許文献４においては、参加者からの応募作品をホストコンピュータの運営・管理支援装置に入力し、参加者からの応募作品を混ぜ合わせるとともに、応募作品の作者名を混ぜ合わせると共に、応募作品の作者を削除して応募作品一覧のデータを出力して前記参加者に選句させているが、一連の応募作品・選句作業に要する時間は従来の句会運営時間と変わりない。
【００１５】
特許文献５においては、無線ＬＡＮ機器の親機と子機を使ったリアルタイムの句会とはいえ、親機で清記の受信、清記番号の付与確認、氏名又は俳号記入の指示確認、全応募作品の確認、シャッフルの確認、シャッフルに一連番号を付した句を子機に送信確認、予備選句一覧の表示、本選句の表示、全員の本選句終了確認、点盛り操作、高点句から並び替え若しくは主宰者や著名なゲストを招いた場合の選を入選、本選、特選を優先にした並び替えの操作と確認、点盛り結果を子機に送信確認、句会報の作成および保存をし、子機は清記番号の入力、氏名又は俳号の入力、自句の清記入力、シャッフルされ一連番号を付された句の受信をしているので、子機では全応募作品を見て選句しなくてはならないなど使い勝手の点で問題がある。
【００１６】
上記特許文献に開示された方法では、応募者は審査の結果を早く知ることができず、結果を知るまでの時間が長くなって興味が薄れ、臨場感がなくなってしまう。このことは、句会やコンテスト主催者にとっても好ましくない。
【課題を解決するための手段】
【００１７】
上記課題を解決するため本発明に係る人気投票システムは、ネットワークに接続されたアプリケーションサーバと、ＩＤを備えた携帯電話機などの双方向通信が可能なモバイル端末とで構成される人気投票システムであって、前記アプリケーションサーバは、投票プログラムを実行するＣＰＵを有し、前記投票プログラムは、前記アプリケーションサーバが前記モバイル端末から受信した応募作品を記憶保存する記憶手段と、前記記憶保存した応募作品の数をカウントするカウント手段と、前記記憶した複数の応募作品を所定数の作品からなる１次審査用の審査グループに分ける抽出手段と、前記抽出された審査グループの作品の表示データを前記モバイル端末に送信する送信手段と、前記ＩＤを識別することで前記審査グループ単位における同一モバイル端末からの重複投票を防止する手段と、前記モバイル端末から送信された各作品ごとの投票数を記憶保存する記憶手段と、前記投票数に基づいて２次審査に移行する作品を抽出保存する抽出手段と、抽出された２次審査に移行する作品の数をカウントするカウント手段と、記憶した２次審査への移行作品を所定数の作品からなる２次審査用の審査グループに分ける抽出手段と、抽出された２次審査グループの作品の表示データを前記モバイル端末に送信する送信手段と、前記ＩＤを識別することで２次審査グループ単位における同一モバイル端末からの重複投票を防止する手段を備え、１次審査を継続しつつ２次審査を同時並行的に行うようにした。
【００１８】
前記投票の対象となる作品としては、川柳、俳句、短歌、詩、駄洒落、写真、動画、漫画、イラスト、ネーミング、今年の漢字を挙げることができるが、これに限定されるものではなく、例えばジョーク、今年の１０大ニュース、今年の流行語、映画または音楽などでもよい。
【００１９】
前記ネットワークでの最終審査の後に、特定の審査員による選考をテレビ番組や会場を決めて行うことも可能である。また、低次の審査と高次の審査を同時並行的に行うのは全ての段階の審査でなくてもよい。例えば、１次から５次まで審査がある場合に、１次から４次までの審査を同時並行的に行うようにしてもよい。
【発明の効果】
【００２０】
本発明は、携帯電話などを使用した一般利用者参加型のコンテストシステムで、選者を省略することもでき、公平さを担保することができる。
【００２１】
また、低次の審査と高次の審査を同時並行して行うため、応募作品が多い場合でも、最終審査に至るまでの期間を短縮することができる。即ち、例えば従来の句会が、投句→清記→選句→披講→講評というプロセスで行われていて、ネットワークを使った大規模な句会、あるいはコンテストになると従来の方法では開催が難しかったが、本発明の方法によれば募集時間を最大化して募集の締め切りを最終審査の数日前に設定することもでき、多数の作品を短期間のうちに効率よく処理したい場合には特に有効となる。
【図面の簡単な説明】
【００２２】
【図１】本発明に係るシステムの一実施形態の構成を表わすブロック図
【図２】コンテストシステムの段階別ステップを示す図
【図３】審査グループの結成過程を説明した図
【図４】３番目の審査グループまでの複合審査を示す図
【図５】コンテストシステムの複合審査プロセス全体を示す図
【図６】登録／投票システムのフローチャート
【図７】登録済み携帯電話によるコンテスト応募プロセスを示す図
【図８】（ａ）及び（ｂ）は投票画面の例を示す図
【図９】（ａ）及び（ｂ）は投票画面の別の例を示す図
【発明を実施するための形態】
【００２３】
以下に本発明を実施するための最良の形態を図面に基づいて詳細に説明する。
図１に示すように本発明に係る人気投票システムは、インターネットなどのネットワーク１と、ネットワーク１に通信を行うべく携帯電話事業者が管理する基地局２と、アンテナ３を介して基地局２と通信を行う携帯電話機４と、データーベース６を持つアプリケーションサーバ５で構成される。ネットワーク１への携帯電話機４からのアクセスは、ｉモード（登録商標）、ＥＺネットワーク（登録商標）やヤフー（登録商標）ケータイなどのネットワークが使える。
【００２４】
アプリケーションサーバ５のハードウェアは、汎用のサーバコンピュータが使え、ＣＰＵ、ＲＯＭ、ＲＡＭ、ＨＤＤ、ＢＩＯＳ、通信インターフェース部（ＣＯＭ  Ｉ／Ｆ）、キーボードＫＢやマウスＭＳなどの入力部、およびディスプレイＤＳＰで構成されている。このうち、ＲＯＭ、ＲＡＭ、ＨＤＤ、ＢＩＯＳ、通信インターフェース部（ＣＯＭ  Ｉ／Ｆ）はバスを介して前記ＣＰＵと接続されていて、キーボードＫＢやマウスＭＳはヒューマンインターフェースＨＩ／Ｆを介して前記ＣＰＵと接続されている。
【００２５】
上記の構成において、ＲＯＭは、システムプログラムを記憶する読み出し専用記憶デバイスである。ＣＰＵは、ＢＩＯＳやＲＯＭに記憶されているシステムプログラムによって起動され、ＲＡＭに展開されたプログラム（アプリケーションプログラム）にしたがって各種の処理を実行する機能を持つ。
【００２６】
またＣＰＵは、入力部からの信号をトリガとして、前記システムプログラムの演算結果などをディスプレイに表示させる機能も持ち、ＲＡＭは、前記ＣＰＵが各種の処理を実行する上において必要なプログラムやデータなどを適宜記憶する機能を持つ。
【００２７】
通信インターフェース部は、ハードディスク、通信部インターフェース部、入力部１８、およびディスプレイの入出力を管理する。ディスプレイＤＳＰは、ＣＲＴやＬＣＤなどにより構成され、ＣＰＵの制御によってＣＰＵの演算結果や外部からの入力データを表示する機能を持っている。前記ＣＰＵ、ＲＯＭ、ＲＡＭ、ハードディスク、通信インターフェース部、キーボードやマウスなどの入力部、およびディスプレイは、バスを介して、ＣＰＵを中心として相互に接続されている。
【００２８】
アプリケーションサーバ５は、携帯電話機４とＳＳＬ通信するための相互認証機能やデーターベース６の制御を含むアプリケーションソフトウェアと、携帯電話機４から受信した携帯電話機のＩＤデータを格納するメモリとで構成されるサーバコンピュータであり、川柳などの応募および投票プログラムを実行するＣＰＵを有する。
【００２９】
前記投票プログラムは、各段階の審査を複数の作品からなる審査グループに分け、低次の審査で選ばれた作品を集めて高次の審査を行って最終審査に至る方式のプログラムと、前記ＩＤを識別することで前記審査グループ単位における同一携帯電話機からの重複投票を防止するプログラムと、低次の審査の途中で高次の審査の審査グループを構成する作品数が集まった段階で１次（低次）の審査は継続しつつ２次（高次）の審査を同時並行的に行う先入れ先出し方式のプログラムと、審査が終了した審査グループを表示対象から外すプログラムとを含む。
【００３０】
前記アプリケーションサーバ５は、作品の応募または投票者からの携帯電話機４を使ったアクセスがあるとコンテストの応募および投票のプログラムを実行する。尚、本発明の場合、アプリケーションサーバ５は投票に関する処理のみを実行するものであってもよい。この場合、応募はＥメイル、葉書、郵送、電話などによって受付ける。
【００３１】
前記ＣＰＵによって、携帯電話機４からのアクセスに対して前記相互認証にＳＳＬの暗号化通信を実行し、データ通信確立後に前記携帯電話機からＩＤを取得し、前記アプリケーションサーバ５のＣＰＵでは前記ＩＤを使って同一審査グループに対する同一携帯電話機からの重複投票を防止し、選抜された作品を投票対象とした次の段階の投票を前記投票者に通知し、二回目以降の投票を繰り返す。
【００３２】
アプリケーションサーバ５は、コンテスト応募者から送られてきた応募データや、コンテスト応募者や投票者の携帯電話機４が持つ排他的に識別可能なＩＤ、会員のメールアドレスなどを格納するデーターベース６に接続され、次の段階の投票を前記投票者に通知する機能と、二回目以降の投票を繰り返し、最終選考結果を投票者に通知する機能を備える。また、落選した場合にも再応募のために通知する。
【００３３】
ＩＤ番号は、コンテスト応募者が使用する携帯電話機４をネットワーク１を介した通信時に識別するためのＩＤ番号を表わすデータであり、携帯電話機に備えられるＳＩＭカードに保存される固有番号ＩＭＳＩあるいはその従属データを用いることができる。ＩＤ番号は、数値に限られず、文字を使ったＩＤデータであってもよい。アプリケーションサーバ５は、ＳＳＬ暗号化通信時にこのＩＤ番号を取得することにより、携帯電話機４を特定することができる。
【００３４】
同一の携帯電話機４からのアプリケーションサーバ５に対する２回目以降のアクセスにおいては、アプリケーションサーバ５は前記データーベースの中から登録済ＩＤを検索して、登録確認や重複登録／投票拒否をすることができる。
【００３５】
上記において、他のサイトからリンクを張って誘導した他組織の会員でも、アプリケーションサーバ５が携帯電話機４のＩＤを取得し、データーベース６に登録することができる。
【００３６】
図２に示すように、審査はステップＳ０１において第１次審査が行われ、この第１次審査と同時並行的にステップＳ０２の第２次審査投票およびステップＳ０３の第３次審査が行われる。説明を簡単にするため、ステップＳ０１〜０３で説明したが、ステップＳ０２とステップ０３の間には複数段の審査を先入れ先出し方式によって同時並行的に行うようにしてもよい。
【００３７】
前述の通り、アプリケーションサーバ５は、ＨＤＤに保存された投票プログラムを実行するＣＰＵを有し、ＣＰＵは、メモリ手段としてのＲＡＭやＨＤＤに適宜データ移行や保存して投票プログラムを実行する。
【００３８】
前記投票プログラムは、前記アプリケーションサーバが携帯電話機４からネットワーク１を介して受信した応募作品を記憶保存する記憶手段を備える。
【００３９】
また前記投票プログラムは、データーベース６に記憶保存した応募作品の数をカウントするカウント手段を備え、カウントした応募作品の数をデーターベース６にデータファイルとして保存する。
【００４０】
更に前記投票プログラムは、記憶した複数の応募作品を所定数の作品からなる１次審査用の審査グループに分ける抽出手段を備え、例えば所定数が９の場合は、９つの応募作品に１次審査を受けるグループの属性データとして１次審査用の管理番号を付与してグループ管理する。
【００４１】
また前記投票プログラムは、抽出された審査グループの作品の表示データを前記モバイル端末に送信する送信手段を備え、ネットワーク１を介して携帯電話機４に表示データを送出することにより、携帯電話機４の表示装置に前記抽出された審査グループの作品が表示できるようにする。
【００４２】
更に前記投票プログラムは、前記ＩＤを識別することで前記審査グループ単位における同一モバイル端末からの重複投票を防止する手段を備え、前記ＩＤを識別することで２次審査グループ単位における同一モバイル端末からの重複投票を防止する手段を備え、携帯電話機４に備えられるＳＩＭカードに保存される固有番号ＩＭＳＩあるいはその従属データを用いることにより携帯電話機４を特定する。
【００４３】
また前記投票プログラムは、前記モバイル端末から送信された各作品ごとの投票数をデーターベース６に記憶保存する記憶手段を備える。
【００４４】
更に前記投票プログラムは、前記投票数に基づいて２次審査に移行する作品を抽出保存する抽出手段を備え、データーベース６に記憶保存された応募作品の中から前記投票数に基づいて２次審査に移行する作品の属性データに２次審査に移行するデータを付加して第２次審査に移行するグループとして管理する。
【００４５】
また前記投票プログラムは、抽出された２次審査に移行する作品の数をカウントするカウント手段を備え、高次の審査に移行するための基準数に達したかどうかを確認する。
【００４６】
更に前記投票プログラムは、記憶した２次審査への移行作品を所定数の作品からなる２次審査用の審査グループに分ける抽出手段を備え、例えば所定数が９の場合は、９つの応募作品に２次審査を受けるグループの属性データとして２次審査用の管理番号を付与してグループ管理する。
【００４７】
また前記投票プログラムは、抽出された２次審査グループの作品の表示データを携帯電話機４に送信する送信手段を備え、ネットワーク１を介して携帯電話機４に表示データを送出することにより、携帯電話機４の表示装置に前記抽出された２次審査への移行作品が表示できるようにする。
【００４８】
２次審査が終了したら、その結果をデーターベース６に記憶保存し、更に高次の審査に移行する場合には、前記モバイル端末から送信された各作品ごとの投票数の記憶手段と、前記投票数に基づいて高次の審査に移行する作品を抽出保存する抽出手段と、抽出された高次の審査に移行する作品の数をカウントするカウント手段と、記憶した高次審査への移行作品を所定数の作品からなる高次審査用の審査グループに分ける抽出手段と、抽出された高次審査グループの作品の表示データを前記モバイル端末に送信する送信手段と、ＩＤを識別することで高次審査グループ単位における同一モバイル端末からの重複投票を防止する手段を使って前記と同様のデータ処理を行うことにより所定段階の審査を継続しつつ所定段階の次の審査を行うようにする。
【００４９】
投票対象を川柳とした場合について説明すると、まず、図３に示すように応募作品が９句揃った段階で第１グループＧ１の第１次審査を行う。審査はサイトアクセス権利を持つ有権者に１人につき１票を投票してもらい、例えば、上位３句を選出する。尚、実施例では９つの応募作品で１つの審査グループを作り、３つの応募作品を選出するようにしたが、グループを構成する作品数や１つのグループから選出する作品数は変更可能である。
【００５０】
前記上位３つの応募作品は、９つの応募作品の中から選ばれた時点で第１次審査を通過し、第２次審査投票に進む。一方、図４に示すように、第１グループＧ１の後に揃ったグループＧ２、Ｇ３の中から選ばれた２組の各３つの応募作品群を先の３つの応募作品と一緒にして第２次審査を受ける９つの応募作品の中に組み込む。この９つの応募作品は前記ネットワークコンテストと同じ方法で第２回目の投票を受け、上位３句は第２次審査の終了を待たずして、図５に示すように、第３次審査へと進んで行く（先入れ先出し方式）。
【００５１】
図５の横軸の応募の時間軸においては、各グループＧ１〜Ｇ９の１番目から９番目までが１つのグループを構成する９つの応募作品で、先に応募した順に番号が付けられている。ここにおいて、各グループＧ１〜Ｇ９の第１次審査の順番は番号通りの順番となっているが、第１番目のグループＧ１から第３番目のグループＧ３の中から選抜された各３つの応募作品から構成される第２次審査を受ける第１グループＧ１０１の投票は、例えば時間で締め切る方法をとれば、第１次審査の第７グループＧ７の審査よりも早く行うことができ、第２次審査を受ける第２グループＧ１０２の投票は第１次審査の第９グループＧ９の審査よりも早く行うことができる。
【００５２】
３つの応募作品を選抜する方法としては、例えば投票数が１００を越える順番が早い句順に３つの応募作品を選抜する方法や、期限を限定してグループが形成されてから３日間に限定して、期間終了時の高得点を得た３つの応募作品を選抜する方法などが考えられる。
【００５３】
投票権の付与については、各審査グループに対して１回だけ付与する方法や、１日に１回の投票権を付与する方法などが考えられる。各グループに対して１回だけ付与する方法であれば、投票者は各段階における全グループに対して１回だけ投票が許される。
【００５４】
また、図には示していないが第１次審査で選抜されなかった応募作品の中から投票数が多かった作品を敗者復活として、高次の審査に組み込むことも可能である。
【００５５】
図６は、応募／投票システムのフローチャートを示している。投票には別サイトの会員携帯電話機４からでも参加できる。
まず、携帯電話機４の利用者は、ステップＰＰ０１で携帯電話機４からネットワークにアクセスし、コンテストサイトを開く。
【００５６】
携帯電話機４の画面に応募か投票を選択する画面が出たら携帯電話機４の利用者はどちらかを選択する。応募を選択した場合は、ステップＰＰ０３にて応募の受け付け画面から入って所定の応募手続きを踏む。以降の応募手続き内容は図７のステップＰＥ０１からと同様の手続きとなる。
【００５７】
ステップＰＰ０２で投票を選択した場合には、ステップＰＰ０４において投票画面の選択を行う。これは、本発明の複合投票システムの特徴であり、複数の投票段階を選択することにより同時進行的に複数の審査段階において投票が可能となるものである。
【００５８】
ステップＰＰ０４において、例えば第２審査段階を選択した場合には、固有ＩＤを持つ携帯電話機４を使って第２審査段階の特定グループに対して投票したことがあるか否かを確認する。もし過去に前記特定グループに対して投票した履歴が残っていた場合には重複投票として認識され、ステップＰＰ０９に進み処理が終了する。
【００５９】
ステップＰＰ０５において重複投票が確認されなかった場合には、初回として認定され、ステップＰＰ０６において投票が可能となる。投票ボタンは例えば数字の０ボタン、♯ボタン、＊ボタン或いは画面中に投票ボタンを表示してもよい。
【００６０】
ステップＰＰ０６における投票が有効になると、ステップＰＰ０７において、その投票を反映した投票結果が携帯電話機４の画面に表示される。
【００６１】
ここで固有ＩＤを持つ携帯電話機４を使った特定グループに対する投票権は消尽したが、まだ投票権の残っている他のグループが存在する場合には、ステップＰＰ０８における選択で他のグループに対する投票を続けることができる。
【００６２】
ステップＰＰ０８において、もう投票する意志がない場合には、終了を選択することによってステップＰＰ０９にて終了画面が表示される。
【００６３】
図７は、登録済み携帯電話によるコンテスト応募プロセスを示している。
左側は携帯電話機４のプロセス、右側はアプリケーションサーバ５による処理を示している。
【００６４】
コンテスト応募者は、ステップＰＥ０１で携帯電話機４からネットワーク１にアクセスし、コンテストサイトを開く。
【００６５】
ステップＰＥ０２で、アプリケーションサーバ５はデーターベース６を参照し、既に１回登録を済ませた記録のある携帯電話機のＩＤである場合には、その旨を前記携帯電話機４にメールで通知すると共に、受け付けを終了する。
【００６６】
前記ステップＰＥ０２にて携帯電話機４のＩＤ確認ができると、ステップＰＥ０３でコンテストの仮登録データをアプリケーションサーバ５に送信して仮登録をして携帯電話のメールアドレスを送り、ステップＰＥ０４で仮登録を受け付け、ステップＰＥ０５で前記メールアドレスにＵＲＬが記載されたメールを送信する。
【００６７】
ここで携帯電話機４が正しく登録されている携帯電話機であればアプリケーションサーバ５からの会員サイトのＵＲＬが記載されたメールを受け取り、ステップＰＥ０６で会員サイトの画面表示にて、会員規程などの情報を確認し、仮登録データを入力することが出来る。
【００６８】
前記仮登録データは、作品、ニックネーム、年齢、出身地、自己ＰＲ、登録希望カテゴリーを入力する。更に、非公開データとして本名と連絡先の住所、電話番号、メールアドレス（確認用）などである。
【００６９】
アプリケーションサーバ５の管理者は、前記仮登録データに含まれる個人情報データに加え、応募番号データ、及びＳＳＬ暗号化通信で取得した携帯電話機４のＩＤ番号は、応募者単位ごとに相互に関連付けられてデータが管理され、ある応募者に関するいずれかのデータをキーとして、その応募者に関する他のデータを検索することができる。
【００７０】
アプリケーションサーバ５は、ステップＰＥ０７で、前記仮登録した情報が正しい情報であることを確認して認証を終了する。
【００７１】
次に、アプリケーションサーバ５は、ステップＰＥ０８で課金同意書の内容をメールで携帯電話機４に送る。
【００７２】
ステップＰＥ０９で携帯電話機４は課金同意書の文面を携帯電話機４の画面上で閲覧することにより確認できる。
【００７３】
携帯電話機４を操作する応募者は、課金同意書の内容に同意できる場合はステップＰＥ１０で課金同意のメッセージをアプリケーションサーバ５に送り、ステップＰＥ１１でアプリケーションサーバ５は前記応募者の登録を完了すると共に別プロセスで携帯電話機４に対してＩＤ番号を使って課金する。
【００７４】
ステップＰＥ１２にて、データーベース６に保存された初期登録データは、アプリケーションサーバ５に接続されたディスプレイに情報を表示することにより書式審査を受ける。
【００７５】
応募作品に特定の個人、団体、国を誹謗したり、公序良俗に反する内容が含まれているような場合にはフィルターをかける応募取消機能を持たせることができる。この応募取消機能は、担当者が目視作業で行うこともできるが、例えば応募規定違反となるキーワードをデーターベース６に登録しておき、前記仮登録データを検索することにより該当するキーワードがふくまれている場合には規程違反用語の削除、或いは登録の中止といった対策をとり、電子メールにて応募者に警告するプログラムを使うことも考えられる。
【００７６】
更に主催者は、前記応募によって応募画面に入力した仮登録データを確認して書式審査を行い、書式審査が終わると、ステップＰＥ１３において、応募作品の画面を生成し１つの画面に入る処理をする。
【００７７】
編集の終わった画面はステップＰＥ１３で応募者の携帯電話４に送られ、ステップＰＥ１４で応募者が内容に同意すればステップＰＥ１５で掲示同意を入力し、ステップＰＥ１６でアプリケーションサーバ５が提示同意を受信する。
【００７８】
提示同意を受けて、アプリケーションサーバ５はステップＰＥ１７にて前記サムネイルフラッシュ画像をアップロードして公開し、ステップＰＥ１８で作業を終了する。
【００７９】
上記において、携帯電話機４に対しては課金同意書などの契約事項をあらかじめオープニングの画面で表示して同意の可否を選択させることにより、ステップＰＥ１１から通信を開始することも考えられる。
【００８０】
図８（ａ）、（ｂ）は表示例を示している。（ａ）はコンテストの投票対象となる応募作品（川柳）を表示した画面、（ｂ）は選択された応募作品の拡大画面を示している。本実施例においては、複数の作品を同時に表示する画面表示に表示される９つの応募作品の画像（文字）は、前記携帯電話機の１から９のボタンに対応させてある。
【００８１】
図８（ａ）には、１番から９番までの川柳の応募作品が表示されている。携帯電話機４の図８（ａ）において、キーボードの１〜９のボタンを押すか、表示画面７ａの画像にカーソルを合わせて携帯電話機４の入力ボタン８の中の特定ボタンをクリックするか、或いはタッチセンサーパネル付き携帯電話機の場合は表示画面７ａの画像をクリックすると画像が拡大されて図８（ｂ）の画面７ｂに拡大若しくは詳細画面が表示される。
【００８２】
図８（９）には、１番から３番までの写真の応募作品が表示されている。写真の場合は１画面に９枚の写真を一度に表示すると、１枚の写真が小さくなりすぎて識別し難くなるため、３枚の写真を表示し、前記同様に投票を行うようにしている。
【産業上の利用可能性】
【００８３】
高い普及率を持つ携帯電話を利用し、複数段階の審査を同時並行的に実施することにより、高次元での審査を前倒し実行し、全体として審査時間の短いコンテストなどを行うことができる。したがって短時間で従来と同様の選考を行うことができ、コンテストの応募者と投票者をともに増やすことができ、コストパフォーマンスの高いコンテストシステムが提供できる。
【符号の説明】
【００８４】
１…ネットワーク、２…携帯電話機の基地局、３…基地局アンテナ、４…携帯電話機、５…アプリケーションサーバ、６…データーベース、７…携帯電話機の表示画面、７ａ〜７ｃ…画面、８…携帯電話機の入力ボタン。
【図１】
2011028649.tif 000003
【図２】
2011028649.tif 000004
【図３】
2011028649.tif 000005
【図４】
2011028649.tif 000006
【図５】
2011028649.tif 000007
【図６】
2011028649.tif 000008
【図７】
2011028649.tif 000009
【図８】
2011028649.tif 000010
【図９】
2011028649.tif 000011
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
ネットワークに接続されたアプリケーションサーバと、ＩＤを備えた携帯電話機などの双方向通信が可能なモバイル端末とで構成される人気投票システムであって、
前記アプリケーションサーバは、投票プログラムを実行するＣＰＵを有し、
前記投票プログラムは、
前記モバイル端末から受信した応募作品を記憶保存する記憶手段と、
前記記憶保存した応募作品の数をカウントするカウント手段と、
前記記憶保存した複数の応募作品を所定数の作品からなる１次審査用の審査グループに分ける抽出手段と、
前記抽出された１次審査グループの作品の表示データを前記モバイル端末に送信する送信手段と、
前記ＩＤを識別することで前記１次審査グループ単位における同一モバイル端末からの重複投票を防止する手段と、
前記モバイル端末から送信された各作品ごとの投票数を記憶保存する記憶手段と、
前記投票数に基づいて２次審査に移行する作品を抽出保存する抽出手段と、
抽出された２次審査に移行する作品の数をカウントするカウント手段と、
２次審査への移行作品を所定数の作品からなる２次審査用の審査グループに分ける抽出手段と、
抽出された２次審査グループの作品の表示データを１次審査の途中の段階で前記モバイル端末に送信する送信手段と、
前記ＩＤを識別することで２次審査グループ単位における同一モバイル端末からの重複投票を防止する手段を備え、
１次審査を継続しつつ２次審査を同時並行的に行うことを特徴とする人気投票システム。
【請求項２】
請求項１に記載の人気投票システムにおいて、前記投票の対象となる作品は、川柳、俳句、短歌、詩、駄洒落、写真、動画、漫画、イラスト、ネーミングまたは今年の漢字のいずれかであることを特徴とする人気投票システム。
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
ネットワークに接続されたアプリケーションサーバと、ＩＤを備えた携帯電話機などの双方向通信が可能なモバイル端末とで構成される人気投票システムであって、
前記アプリケーションサーバは、投票プログラムを実行するＣＰＵを有し、
前記投票プログラムは前記アプリケーションサーバを、
前記モバイル端末から受信した応募作品を記憶保存する記憶手段、
前記記憶保存した応募作品の数をカウントするカウント手段、
前記記憶保存した複数の応募作品を所定数の作品からなる１次審査用の審査グループに分ける抽出手段、
前記抽出された１次審査グループの作品の表示データを前記モバイル端末に送信する送信手段、
前記ＩＤを識別することで前記１次審査グループ単位における同一モバイル端末からの重複投票を防止する手段、
前記モバイル端末から送信された各作品ごとの投票数を記憶保存する記憶手段、
前記投票数に基づいて２次審査に移行する作品を抽出保存する抽出手段、
抽出された２次審査に移行する作品の数をカウントするカウント手段、
２次審査への移行作品を所定数の作品からなる２次審査用の審査グループに分ける抽出手段、
抽出された２次審査グループの作品の表示データを１次審査の途中の段階で前記モバイル端末に送信する送信手段、
及び前記ＩＤを識別することで２次審査グループ単位における同一モバイル端末からの重複投票を防止する手段として機能させ、
１次審査を継続しつつ２次審査を同時並行的に行うことを特徴とする人気投票システム。
【請求項２】
請求項１に記載の人気投票システムにおいて、前記投票の対象となる作品は、川柳、俳句、短歌、詩、駄洒落、写真、動画、漫画、イラスト、ネーミングまたは今年の漢字のいずれかであることを特徴とする人気投票システム。